(57)【要約】【課題】施工費用を安く抑え、かつひび割れ発生の抑制又は防止を可能にする。【解決手段】開口１２ａを有する部材１２を鉄板２の上に配置する。このとき、開口１２ａを有する部分１２Ａが該鉄板２から離れた位置に配置されるようにしておく。そして、該鉄板２の上に生コンクリートを打設すると、該打設された生コンクリートは前記開口１２ａを通り抜けながら隅々まで行き渡って前記部材１２を埋設することとなる。その結果、コンクリートのひび割れは該部材１２によって抑制される。また、該部材１２は簡単な構造であるため、施工費用を安く抑えることができる。【選択図】図３
2015151703.tif 000002
【特許請求の範囲】
【請求項１】
地盤に生コンクリートを打設してなる、土間コンクリートの施工方法において、
地盤上に鉄板を敷設する工程と、
生コンクリートの通過を許容する複数の開口が形成される部分（以下、“開口形成部分”とする）と、該開口形成部分の少なくとも一部を前記鉄板から離間した位置に保持する部分（以下、“保持部分”とする）とを、前記鉄板上に配置する工程と、
生コンクリートが前記複数の開口を通過して前記開口形成部分の少なくとも一部を埋設するように該生コンクリートを前記鉄板の上に打設する工程と、
を備えたことを特徴とする土間コンクリートの施工方法。
【請求項２】
前記開口形成部分は、メッシュ状の部材であり、
前記保持部分は、該開口形成部分と前記鉄板との間に介装された部分である、
ことを特徴とする請求項１に記載の土間コンクリートの施工方法。
【請求項３】
前記開口形成部分は、面方向に張力が作用していない状態（以下、“第１の状態”とする）では複数の切り込みが入れられたシート状の部材であり、面方向に張力が作用した状態（以下、“第２の状態”とする）では該複数の切り込みが広げられて前記開口を形成する部材であり、
前記開口形成部分は、前記第１の状態で搬送されると共に前記第２の状態で前記鉄板の上に配置される、
ことを特徴とする請求項２に記載の土間コンクリートの施工方法。
【請求項４】
前記保持部分は、前記シート状の部材に切り込みを入れて前記開口形成部分と共に形成され、前記第２の状態においては前記鉄板の側に向けて突出する突起である、
ことを特徴とする請求項３に記載の土間コンクリートの施工方法。
【請求項５】
前記シート状の部材は、打設される生コンクリートに抗して前記第２の状態を保持できる程度の剛性を有する、
ことを特徴とする請求項３又は４に記載の土間コンクリートの施工方法。
【請求項６】
前記保持部分は、前記開口形成部分に一体的に形成された部分である、
ことを特徴とする請求項２に記載の土間コンクリートの施工方法。
【請求項７】
前記開口形成部分及び前記保持部分は、交互に連続するように配置されて波板を形成し、
前記開口形成部分は、該波板の山部に配置されて前記鉄板から離間した位置に配置され、
前記保持部分は、該波板の谷部に配置されて前記開口形成部分を前記鉄板から離間した位置に保持する、
ことを特徴とする請求項６に記載の土間コンクリートの施工方法。
【請求項８】
前記保持部分は、前記鉄板に形成された突出部である、
ことを特徴とする請求項２に記載の土間コンクリートの施工方法。
【請求項９】
前記開口形成部分は、その長辺の縁部に複数の凹部又は切欠部が形成された複数の板状の部材（以下、“板状部材”とする）と、該複数の板状部材に交差すると共に前記凹部又は切欠部に係止されるように配置されて前記板状部材と共に前記開口を区画してなる長尺部材と、からなり、
前記保持部分は、前記板状部材の少なくとも一部を前記鉄板から離間した位置に保持するように配置された、
ことを特徴とする請求項１に記載の土間コンクリートの施工方法。
【発明の詳細な説明】
【技術分野】
【０００１】
本発明は、地盤に生コンクリートを打設してなる、土間コンクリートの施工方法に関する。
【背景技術】
【０００２】
従来、倉庫や工場などの建築物においては、地盤上に生コンクリートを打設して床（土間コンクリート）が構築されており、その施工方法については種々の方法が提案されている（例えば、特許文献１参照）。そして、このような土間コンクリートにおいてはひび割れ発生の抑制や防止が望まれているが、その一つの方法として、土間コンクリート内に鉄筋（トラス筋）を埋設する方法が提案されている（例えば、非特許文献１参照）。
【先行技術文献】
【特許文献】
【０００３】
【特許文献１】特開２０１０−１９６３４６号公報
【非特許文献】
【０００４】
【非特許文献１】ＪＦＥ建材株式会社、床商品カタログ抜粋［ＰＤＦ］、Ｒデッキ、［平成２５年１２月２０日検索］、インターネット＜http://www.j-ecc.gr.jp/inform/stacks/catalog_r.pdf＞
【発明の概要】
【発明が解決しようとする課題】
【０００５】
しかしながら、トラス筋を土間コンクリートに埋設する場合には、トラス筋の分だけ土間コンクリートの施工費用が高くなってしまうという問題があった。
【０００６】
本発明は、上述の問題を解消することのできる、土間コンクリートの施工方法を提供することを目的とするものである。
【課題を解決するための手段】
【０００７】
請求項１に係る発明は、図１乃至図４に例示するものであって、地盤（図３及び図４(a) の符号Ｇ参照）に生コンクリート(不図示)を打設してなる、土間コンクリートの施工方法において、
地盤（Ｇ）上に鉄板（２）を敷設する工程（Ｓ１）と、
生コンクリートの通過を許容する複数の開口（１１ｂ，１２ａ，１３ａ）が形成される部分（図２(b) の符号１１Ｂ，図３の符号１２Ａ，及び図４(a) (b) の符号１３参照）。以下、“開口形成部分”とする）と、該開口形成部分（１１Ｂ，１２Ａ，１３）の少なくとも一部を前記鉄板（２）から離間した位置に保持する部分（図３の符号１２Ｂ及び図４(a) の符号１３１ｂ参照。以下、“保持部分”とする）とを、前記鉄板（２）上に配置する工程（Ｓ２，Ｓ３）と、
生コンクリートが前記複数の開口（１１ｂ，１２ａ，１３ａ）を通過して前記開口形成部分（１１Ｂ，１２Ａ，１３）の少なくとも一部を埋設するように該生コンクリートを前記鉄板（２）の上に打設する工程（Ｓ４）と、を備えたことを特徴とする。
【０００８】
請求項２に係る発明は、請求項１に係る発明において、図２(b) 及び図３に例示するように、前記開口形成部分（１１Ｂ，１２Ａ）が、メッシュ状の部材であり、
前記保持部分は、該開口形成部分（１１Ｂ，１２Ａ）と前記鉄板（２）との間に介装された部分であることを特徴とする。
【０００９】
請求項３に係る発明は、請求項２に係る発明において、前記開口形成部分（１１Ｂ）が、図２(a) に例示するように、面方向に張力が作用していない状態（以下、“第１の状態”とする）では複数の切り込み（１１ａ）が入れられたシート状の部材（１１Ａ）であり、図２(b) に例示するように、面方向に張力が作用した状態（以下、“第２の状態”とする）では該複数の切り込み（１１ａ）が広げられて前記開口（１１ｂ）を形成する部材であり、
前記開口形成部分（１１Ｂ）は、前記第１の状態で搬送されると共に前記第２の状態で前記鉄板（２）の上に配置されることを特徴とする。
【００１０】
請求項４に係る発明は、請求項３に係る発明において、前記保持部分が、前記シート状の部材に切り込みを入れて前記開口形成部分（１１Ｂ）と共に形成され、前記第２の状態においては前記鉄板（２）の側に向けて突出する突起（不図示）であることを特徴とする。
【００１１】
請求項５に係る発明は、請求項３又は４に係る発明において、前記シート状の部材が、打設される生コンクリートに抗して前記第２の状態を保持できる程度の剛性を有することを特徴とする。
【００１２】
請求項６に係る発明は、請求項２に係る発明において、前記保持部分（１２Ｂ，１３１ｂ）が、前記開口形成部分（１２Ａ，１３）に一体的に形成された部分であることを特徴とする。
【００１３】
請求項７に係る発明は、請求項６に係る発明において、図３に例示するように、前記開口形成部分（１２Ａ）及び前記保持部分（１２Ｂ）が、交互に連続するように配置されて波板を形成し、
前記開口形成部分（１２Ａ）は、該波板の山部に配置されて前記鉄板（２）から離間した位置に配置され、
前記保持部分（１２Ｂ）は、該波板の谷部に配置されて前記開口形成部分（１２Ａ）を前記鉄板（２）から離間した位置に保持することを特徴とする。
【００１４】
請求項８に係る発明は、請求項２に係る発明において、前記保持部分が、前記鉄板（２）に形成された突出部（不図示）であることを特徴とする。
【００１５】
請求項９に係る発明は、請求項１に係る発明において、図４(a) に例示するように、前記開口形成部分（１３）が、その長辺の縁部に複数の凹部又は切欠部（１３１ａ）が形成された複数の板状の部材（符号１３１参照。以下、“板状部材”とする）と、該複数の板状部材（１３１）に交差すると共に前記凹部又は切欠部（１３１ａ）に係止されるように配置されて前記板状部材（１３１）と共に前記開口（図３(b) の符号１３ａ参照）を区画してなる長尺部材（１３２）と、からなり、
前記保持部分（１３１ｂ）は、前記板状部材（１３１）の少なくとも一部を前記鉄板（２）から離間した位置に保持するように配置されたことを特徴とする。
【００１６】
なお、括弧内の番号などは、図面における対応する要素を示す便宜的なものであり、従って、本記述は図面上の記載に限定拘束されるものではない。
【発明の効果】
【００１７】
請求項１，２，６〜９に係る発明によれば、前記開口形成部分によってコンクリートのひび割れを防止又は抑制することができる。また、該開口形成部分は簡単な構造であって製造コストを安く抑えることができるので、その分、土間コンクリートの施工費用も安く抑えることができる。
【００１８】
請求項３〜５に係る発明によれば、前記開口形成部分を薄くてかさばらない状態で運搬することができ、運搬効率を上げることができる。
【図面の簡単な説明】
【００１９】
【図１】図１は、本発明に係る土間コンクリートの施工方法の一例を示すフローチャート図である。
【図２】図２(a) (b) は、開口形成部分の形状の一例を示す平面図である。
【図３】図３は、開口形成部分の形状の他の例を示す斜視図である。
【図４】図４(a) は、開口形成部分の形状のさらに他の例を示す分解斜視図であり、同図(b) は、その平面図である。
【発明を実施するための形態】
【００２０】
以下、図１乃至図４に沿って、本発明の実施の形態について説明する。
【００２１】
本発明に係る土間コンクリートの施工方法は、地盤に生コンクリートを打設する方法であって、図１に例示するように、
・  地盤（図３及び図４(a) の符号Ｇ参照）上に鉄板（図３及び図４(a) の符号２参照）を敷設する工程（鉄板敷設工程）Ｓ１と、
・  図２(b) 及び図３に例示するようなメッシュ状の部材１１Ｂ，１２Ａや図４(a) (b) に例示するような部材１３（以下、総称して“開口形成部分”とする）を前記鉄板２上に配置する工程（開口形成部分配置工程）Ｓ３と、
・  不図示の生コンクリートを該鉄板２の上に打設する工程（コンクリート打設工程）Ｓ４と、
を備えている。
【００２２】
ここで、前記開口形成部分１１Ｂ，１２Ａ，１３は、生コンクリートの通過を許容する大きさの開口１１ｂ，１２ａ，１３ａを複数有していて、生コンクリートを打設する際に該生コンクリートが該複数の開口１１ｂ，１２ａ，１３ａを通過しつつ該開口形成部分１１Ｂ，１２Ａ，１３の全部（又は少なくとも一部）を埋設するようになっている。なお、この開口形成部分１１Ｂ，１２Ａ，１３は、樹脂（例えば、アラミド樹脂）や金属（例えば、鉄鋼）で形成すれば良く、３０００Ｎ／ｍｍ２以上の引張弾性率を有する材料で形成してコンクリートのひび割れの伝播を抑制できるようにすると良い。
【００２３】
また、本発明に係る土間コンクリートの施工方法においては、前記開口形成部分１１Ｂ，１２Ａ，１３と前記鉄板２との間に空間を確保するためのもの（以下、“保持部分”とする）を前記鉄板２上に配置する工程（保持部分配置工程）Ｓ２を、生コンクリートを打設する前に実施するようになっており、前記開口形成部分１１Ｂ，１２Ａ，１３の全部又は少なくとも一部が前記鉄板２から離間した位置に保持されるようになっている。この保持部分は、前記開口形成部分１１Ｂ，１２Ａ，１３と前記鉄板２との間に介装された部分であれば良く、種々の態様のものを挙げることができる。例えば、
・  前記開口形成部分１１Ｂ，１２Ａ，１３と前記鉄板２との間に介装される部材（該開口形成部分１１Ｂ，１２Ａ，１３や該鉄板２とは別の部材であって、スペーサの機能を有するもの）や、
・  前記開口形成部分１１Ｂ，１２Ａ，１３から前記鉄板２の側に突出する部分であって該開口形成部分１１Ｂ，１２Ａ，１３に一体的に形成される部分（図３の符号１２Ｂ、及び図４(a) の符号１３１ｂ参照）や、
・  前記開口形成部分１１Ｂ，１２Ａ，１３の側に突出するように前記鉄板２に形成された突出部（不図示）
などを挙げることができるが、もちろんこれらに限られるものではなく、前記開口形成部分１１Ｂ，１２Ａ，１３を前記鉄板２から離間した位置に保持できるものであれば他の構造や形状であっても良い。
【００２４】
本発明によれば、前記開口形成部分は簡単な構造であって製造コストを安く抑えることができるので、その分、土間コンクリートの施工費用も安く抑えることができる。
【００２５】
ところで、図２(a) 及び(b) に例示するように、前記開口形成部分を、
・  面方向に張力が作用していない状態（以下、“第１の状態”とする）では複数の切り込み１１ａが入れられたシート状の部材であり（図２(a) 参照）、
・  面方向に張力が作用した状態（以下、“第２の状態”とする）では該複数の切り込み１１ａが広げられて前記開口１１ｂを形成する部材（図２(b) 参照）
にすると良い。そして、土間コンクリートを打設する現場までトラック等で運搬する間は該開口形成部分を第１の状態で搬送し、前記鉄板２の上に配置する際に張力を掛けて第２の状態にすると良い。そのようにした場合には、前記開口形成部分を薄くてかさばらない状態で運搬することができ、運搬効率を上げることができる。
【００２６】
また、前記保持部分は、前記シート状の部材１１Ａに切り込みを入れて前記開口形成部分と一体的に形成し、前記第２の状態においては該保持部分の切欠部分は前記鉄板２の側に向けて突出する突起(不図示)を形成するようにすると良い。そのようにした場合には、前記シート状の部材１１Ａに張力を掛けただけで、前記開口形成部分と前記保持部分の両方が形作られることとなり、作業性を向上させることができる。
【００２７】
このシート状の部材は樹脂や金属で形成すると良いが、
・  人力（作業者の力）だけで変形する程度の材質であって、
・  打設される生コンクリートの勢いによっては前記開口が閉じない程度の剛性（つまり、打設される生コンクリートに抗して前記第２の状態を保持できる程度の剛性）
を有していると良い。なお、そのような剛性を有しない材料を使用する場合には、シート状の部材が前記第２の状態を維持するように生コンクリートを打設している間は張力を加えておくと良い。
【００２８】
一方、図３に例示するように、前記開口形成部分１２Ａ及び前記保持部分１２Ｂを交互に連続するように配置して波板を形成し、前記開口形成部分１２Ａは、該波板の山部に配置されて前記鉄板２から離間した位置に配置され、前記保持部分１２Ｂは、該波板の谷部に配置されて前記開口形成部分を前記鉄板２から離間した位置に保持するようにすると良い。この場合、図３に示す構造のものは、前記開口形成部分１２Ａだけでなく前記保持部分１２Ｂにも開口１２ａが形成されているので、生コンクリート打設時に該生コンクリートを隅々まで行き渡らせることができる。また、図３に示す構造のものは、メッシュの板を波板に成形するだけで作製でき、簡単に製造することができる。
【００２９】
また一方、前記開口形成部分は、図４(a) (b) に例示するように、
・  その長辺の縁部に複数の凹部又は切欠部１３１ａが形成された複数の板状の部材（以下、“板状部材”とする）１３１と、
・  該複数の板状部材１３１に交差すると共に前記凹部又は切欠部１３１ａに係止されるように配置されて前記板状部材１３１と共に前記開口１３ａを区画してなる長尺部材１３２と、
によって構成しても良い。ここで、前記長尺部材１３２は、板状の部材であっても良いし、棒状の部材（例えば、鉄筋）であっても良い。この長尺部材１３２にリブ又は節（前記凹部又は切欠部１３１ａの開口寸法よりも大きなリブ又は節）を設けておいて、前記板状部材１３１が該リブ又は節によって位置決め（前記長尺部材１３２の長手方向についての位置決め）されるようにしておくと良い。また、前記板状部材１３１や前記長尺部材１３２には貫通孔（不図示）を穿設しておいて、生コンクリートが該貫通孔を通過できるようにしても良い。さらに、前記凹部や切欠部１３１ａは、前記長尺部材１３２を係止できる形状であればどのような形状であっても良いが、組み立てを容易にするには開口寸法を大きくしておいて長尺部材１３２を係止し易いようにしておくと良い。またさらに、前記保持部分１３１ｂは、前記板状部材１３１の少なくとも一部を前記鉄板２から離間した位置に保持するように構成しておくと良い。また、前記板状部材１３１と前記長尺部材１３２とは組み立てない状態で現場（土間コンクリートを敷設する現場）まで搬送し、該現場にて組み立てるようにすると良い。
【００３０】
ところで、上述した開口形成部分の表面には“リブ”とか“節”とか呼ばれる突起を複数（多数）設けておいても良い。そのようにした場合には、コンクリートが硬化した後で該開口形成部分とコンクリートとの付着性が良くなり、ひび割れを効果的に抑制することができる。
【符号の説明】
【００３１】
２                      鉄板
１１ｂ                  開口
１１Ｂ                  開口形成部分
１２ａ                  開口
１２Ａ                  開口形成部分
１２Ｂ                  保持部分
１３                    開口形成部分
１３ａ                  開口
１３１                  板状部材
１３１ｂ                保持部分
１３２                  長尺部材
Ｇ                      地盤
【図１】
2015151703.tif 000003
【図２】
2015151703.tif 000004
【図３】
2015151703.tif 000005
【図４】
2015151703.tif 000006